(57)【要約】【課題】照明器具の薄型化・小型化を図ることのできるプリント基板、このプリント基板を用いた蛍光ランプ点灯装置および照明器具を提供する。【解決手段】プリント基板１０の外形が蛍光ランプ１００の外形よりも大きいので、プリント基板１０における蛍光ランプ１００の外側に露出している部分１０ｂに、インバータ回路部１１ｅ等を実装することにより、蛍光ランプ１００の下側に大きな電子部品を実装して蛍光ランプ１００と重なるのを防止することができる。これに伴い、蛍光ランプ点灯装置２０および照明器具３０の薄型化を図ることができる。【選択図】図１
2010050053.tif 000002
【特許請求の範囲】
【請求項１】
平面らせん形状をした発光管を有する蛍光ランプに高周波電力を供給するインバータ回路部が実装されたプリント基板であって、
外形が前記蛍光ランプの外形よりも大きいことを特徴とするプリント基板。
【請求項２】
中央部に前記蛍光ランプが配設されることを特徴とする請求項１記載のプリント基板。
【請求項３】
外形が前記蛍光ランプの外形と略相似形であることを特徴とする請求項1または２記載のプリント基板。
【請求項４】
前記蛍光ランプが配設される部分には薄型の部品を配置し、前記蛍光ランプが配設されていない部分には厚型部品を配置したことを特徴とする請求項１ないし請求項３のいずれかに記載のプリント基板。
【請求項５】
前記蛍光ランプのランプピンの近傍に出力端子を実装したことを特徴とする請求項１ないし請求項４のいずれかに記載のプリント基板。
【請求項６】
少なくとも２以上の分割基板に分割されていることを特徴とする請求項１ないし請求項５に記載のプリント基板。
【請求項７】
制御回路部を前記分割基板のうちの一の分割基板に設け、インバータ回路部および電源回路部を前記分割基板のうちの他の分割基板に設けたことを特徴とする請求項６に記載のプリント基板。
【請求項８】
前記蛍光ランプが配設される前記中央部が切除されていることを特徴とする請求項２記載のプリント基板。
【請求項９】
請求項１ないし請求項８のいずれかに記載のプリント基板を用いたことを特徴とする蛍光ランプ点灯装置。
【請求項１０】
請求項９に記載の蛍光ランプ点灯装置を用いたことを特徴とする照明器具。
【発明の詳細な説明】
【技術分野】
【０００１】
本発明は、プリント基板、このプリント基板を用いた蛍光ランプ点灯装置および照明器具に関するものである。
【背景技術】
【０００２】
近年、省資源、省エネルギーの観点から、小型で明るい蛍光ランプが望まれている。一般に、蛍光ランプの明るさは、蛍光ランプの長さを長くするほど明るくなるとともに発光効率が増すため、省エネルギーの効果が認められている。このため、小型で蛍光ランプの長さを長くすることができる平面らせん形蛍光灯を用いた照明器具が提案されている（例えば特許文献１参照）。
【０００３】
図５（Ａ）および（Ｂ）に示すように、特許文献１に記載の平面らせん形蛍光ランプ１００においては、一連の屈曲した発光管１０１が、中央部１０２を中心として略一平面上で渦巻状に旋回された二重渦巻き形状を有している。そして、略対向して離れた両端部、すなわち管端部１０３ａ、１０３ｂの間には保持部材としてのブリッジ１０４が設けられている。発光管１０１の両端面には口金１０５が設けられており、各口金１０５には、管端部１０３ａ、１０３ｂの内部に設けられているフィラメント（図示省略）に接続される一対のランプピン１０６が設けられている。
【０００４】
このような平面らせん形蛍光ランプ１００を用いた照明器具としては、例えば、図６に示すようなものが考えられる。この照明器具１１０では、例えば矩形箱状の器具本体１１１を有しており、器具本体１１１の底板１１１ａには、一方の端部寄りに商用交流電源（図示省略）に接続されている点灯装置１１２等の電気部品が取付けられており、点灯装置１１２等を覆うとともにパネル１１３を取付けるための取付板１１４が設けられている。
【０００５】
また、底板１１１ａの中央部および他方の端部寄りには、光源である平面らせん形蛍光ランプ１００の照明光をパネル１１３側に反射して照明効率を向上させる反射板１１５が設けられており、反射板１１５の上面に、平面らせん形蛍光ランプ１００を装着するための一対のランプソケット１１６、１１６が取付けられている。これらランプソケット１１６、１１６は、電源線（図示省略）によって、点灯装置１１２に接続されている。
【特許文献１】特開２００７−８７９６８号公報（第１図）
【発明の開示】
【発明が解決しようとする課題】
【０００６】
ところで、点灯装置１１２として、高周波で点灯させる電子式インバータ安定器（以後、「インバータ」という。）を用いる場合には、電子部品が実装されるプリント基板は、金属ケース（例えば取付板１１４等）や絶縁シーと等で覆われているか、もしくはプリント基板を器具本体１１１に固定し、その上から金属体で覆うことが多い。これは、埃や水滴等の異物がプリント基板に付着して、ショートや導通不良を起こすことを回避するためである。
【０００７】
従って、このような照明器具１１０においては、円形の平面らせん形蛍光ランプ１００の横に点灯装置１１２等の電気部品が設けられているため、照明器具１１０の小型化を図ることが困難であるという問題があった。
【０００８】
本発明は、従来の問題を解決するためになされたもので、照明器具の薄型化・小型化を図ることのできるプリント基板、このプリント基板を用いた蛍光ランプ点灯装置および照明器具を提供することを目的とする。
【課題を解決するための手段】
【０００９】
本発明のプリント基板は、平面らせん形状をした発光管を有する蛍光ランプに高周波電力を供給するインバータ回路部が実装されたプリント基板であって、外形が前記蛍光ランプの外形よりも大きい構成を有している。
【００１０】
この構成により、プリント基板の外形が蛍光ランプの外形よりも大きいので、プリント基板における蛍光ランプの外側に露出している部分に、インバータ回路部等を実装することにより、蛍光ランプの下側に大きな電子部品を実装して蛍光ランプと重なるのを防止することができる。これに伴い、蛍光ランプ点灯装置および照明器具の薄型化を図ることができる。
【００１１】
また、本発明のプリント基板は、中央部に前記蛍光ランプが配設される構成を有している。
【００１２】
この構成により、プリント基板における蛍光ランプの外側に露出している部分に、インバータ回路部等を実装することにより、プリント基板の中央部には大きな電子部品が実装されていないので、蛍光ランプをプリント基板の中央部に配設しても、蛍光ランプ点灯装置および照明器具の薄型化を図ることができる。
【００１３】
また、本発明のプリント基板は、外形が前記蛍光ランプの外形と略相似形である構成を有している。
【００１４】
この構成により、プリント基板の外形と蛍光ランプの外形が相似形状をしているので、全体の意匠性を向上させることができる。
【００１５】
また、本発明のプリント基板は、前記蛍光ランプが配設される部分には薄型の部品を配置し、前記蛍光ランプが配設されていない部分には厚型部品を配置した構成を有している。
【００１６】
この構成により、プリント基板における蛍光ランプと重なる部分には薄型の部品を配置し、蛍光ランプと重ならない部分には厚型部品を配置したので、蛍光ランプを取り付けた際の全高を抑えることができ、蛍光ランプ点灯装置および照明器具の薄型化を図ることができる。
【００１７】
また、本発明のプリント基板は、前記蛍光ランプのランプピンの近傍に出力端子を実装した構成を有している。
【００１８】
この構成により、プリント基板の出力端子を蛍光ランプのランプピンの近傍に設けたので、ランプピンと接続するランプソケットまでの配線を短くすることができる。これにより、配線が長くなるに伴って生じる雑音や、漏洩電流の増加を防止することができるとともに、組立を容易化することができる。
【００１９】
また、本発明のプリント基板は、少なくとも２以上の分割基板に分割されている構成を有している。
【００２０】
この構成により、プリント基板の複数の分割基板に分割することにより、分割基板の間に隙間を設けることができ、蛍光ランプの着脱が容易になるとともに、着脱の際に蛍光ランプがプリント基板に当たるのを防止することができる。
【００２１】
また、本発明のプリント基板は、制御回路部を前記分割基板のうちの一の分割基板に設け、インバータ回路部および電源回路部を前記分割基板のうちの他の分割基板に設けた構成を有している。
【００２２】
この構成により、高周波で動作するスイッチング素子を有するインバータ回路部および電源回路部を、制御回路部とは異なる分割基板に設けたので、制御回路が誤作動して、蛍光ランプがちらついたり消えたりする等の影響を低減することができる。
【００２３】
また、本発明のプリント基板は、前記蛍光ランプが配設される前記中央部が切除されている構成を有している。
【００２４】
この構成により、プリント基板における蛍光ランプの外側に露出している部分に、インバータ回路部等を実装することにより、プリント基板の中央部には電子部品を実装しないようにすることができるので、中央部を切除することができる。
【００２５】
また、本発明の蛍光ランプ点灯装置は、前述した第１の特徴ないし第８の特徴のいずれかに記載のプリント基板を用いた構成を有している。
【００２６】
この構成により、前述したプリント基板を用いることにより、蛍光ランプ点灯装置の薄型化を図ることができる。
【００２７】
さらに、本発明の照明器具は、前述した蛍光ランプ点灯装置を用いた構成を有している。
【００２８】
この構成により、前述したプリント基板を用いることにより、蛍光ランプ点灯装置の薄型化を図り、この蛍光ランプ点灯装置を用いることにより、照明器具の薄型化を図ることができる。
【発明の効果】
【００２９】
本発明は、プリント基板の外形が蛍光ランプの外形よりも大きいので、プリント基板における蛍光ランプの外側に露出している部分に、インバータ回路部等を実装することにより、蛍光ランプの下側に大きな電子部品を実装して蛍光ランプと重なるのを防止することができる。これに伴い、蛍光ランプ点灯装置および照明器具の薄型化を図ることができるという効果を有するプリント基板、このプリント基板を用いた蛍光ランプ点灯装置および照明器具を提供することができるものである。
【発明を実施するための最良の形態】
【００３０】
以下、本発明の実施形態にかかるプリント基板、このプリント基板を用いた蛍光ランプ点灯装置および照明器具について、図面を用いて説明する。
図１（Ａ）は本発明の第１実施形態にかかるプリント基板、このプリント基板を用いた蛍光ランプ点灯装置および照明器具を示す平面図、図１（Ｂ）は同じく側面図である。なお、図５において前述した平面らせん形蛍光ランプと共通する部位には同じ符号を付して、重複する説明を省略することとする。
【００３１】
図１に示すように、プリント基板１０Ａには、蛍光ランプ１００を点灯させるための電子部品１１が実装されて蛍光ランプ点灯装置２０Ａが形成されており、例えば矩形箱状の器具本体３１の内部に収納されて照明器具３０Ａが構成されている。なお、図４に示すように、電子部品１１としては、商用電源１１ａに接続されて雑音を低減するフィルタ回路１１ｂ、交流電源を整流する整流回路１１ｃ、直流に変換する電源回路１１ｄ、高周波電力に変換するインバータ回路１１ｅ、電源回路部１１ｄおよびインバータ回路部１１ｅのスイッチング素子を制御する制御回路１１ｆ等を有しており、蛍光ランプ１００に高周波電力を供給している。ここでは、各回路部１１ｂ〜１１ｆは、同じ１個のプリント基板１０Ａに実装されている。
【００３２】
図１（Ａ）に示すように、プリント基板１０Ａは器具本体３１の全面にわたる大きさを有しており、蛍光ランプ１００の外形よりも大きな外形を有している。また、蛍光ランプ１００はプリント基板１０Ａの中央部１０ａに配設されている。従って、全体矩形状のプリント基板１０Ａの中央部１０ａに、全体円形状の蛍光ランプ１００が配置されることになり、蛍光ランプ１００の外側には、プリント基板１０Ａが露出する部分１０ｂが設けられる。
【００３３】
従って、図１（Ｂ）に示すように、プリント基板１０Ａにおける蛍光ランプ１００の外側に露出している部分１０ｂに、インバータ回路１１ｅ等の大型部品を実装し、蛍光ランプ１００が設けられているプリント基板１０Ａの中央部１０ａには小型・薄型のチップ部品１１ｇを実装することにより、従来のような蛍光ランプの下側に大きな電子部品を実装して蛍光ランプ１００と重なるのを防止することができる。これにより、蛍光ランプ点灯装置２０Ａおよび照明器具３０Ａの薄型化を図ることができる。
【００３４】
また、プリント基板１０Ａ上の、蛍光ランプ１００のランプピン１０６の近傍に出力端子１２を実装している。すなわち、出力端子１２を、ランプピン１０６と接続するランプソケット１１６の近傍に設けているので、ランプソケットまでの配線２１を短くすることができる。これにより、配線２１が長くなるに伴って生じる雑音や、漏洩電流の増加を防止することができるとともに、組立を容易化することができる。
【００３５】
次に、本発明の第２実施形態について説明する。
図２（Ａ）は本発明の第２実施形態にかかるプリント基板、このプリント基板を用いた蛍光ランプ点灯装置および照明器具を示す平面図、図１（Ｂ）は同じく側面図である。なお、図５において前述した平面らせん形蛍光ランプおよび前述した第１実施形態にかかるプリント基板、このプリント基板を用いた蛍光ランプ点灯装置および照明器具と共通する部位には同じ符号を付して、重複する説明を省略することとする。
【００３６】
図２に示すように、プリント基板１０Ｂには、蛍光ランプ１００を点灯させるための電子部品１１が実装されて蛍光ランプ点灯装置２０Ｂが形成されており、円形箱状の器具本体３１Ｂの内部に収納されて照明器具３０Ｂが構成されている。
【００３７】
図２（Ａ）に示すように、プリント基板１０Ｂは器具本体３１Ｂの全面にわたる大きさを有しており、蛍光ランプ１００の外形よりも大きな外形を有している。また、蛍光ランプ１００はプリント基板１０Ｂの中央部１０ａに配設されている。従って、外形が円形のプリント基板１０Ｂの中央部１０ａに、全体円形状の蛍光ランプ１００が配置されることになり、プリント基板１０Ｂの外形は、蛍光ランプ１００の外形と略相似形となっている。これにより、照明器具３０Ｂの全体の意匠性を向上させることができる。
【００３８】
また、プリント基板１０Ｂは蛍光ランプ１００よりも大きいので、蛍光ランプ１００の外側にはプリント基板１０Ｂが露出する部分１０ｂが設けられる。なお、ここでは、プリント基板１０Ｂの中央部１０ａを切り抜いており、プリント基板１０Ｂは一定幅を有する円環状となっている。
【００３９】
従って、図２（Ｂ）に示すように、プリント基板１０Ｂにおける蛍光ランプ１００の外側に露出している部分１０ｂにインバータ回路１１ｅ等の大型部品を実装し、プリント基板１０Ｂの裏面に小型・薄型のチップ部品１１ｇを実装することにより、従来のような蛍光ランプの下側に大きな電子部品を実装して蛍光ランプ１００と重なるのを防止することができる。これにより、蛍光ランプ点灯装置２０Ｂおよび照明器具３０Ｂの薄型化を図ることができる。
【００４０】
また、プリント基板１０Ｂ上の、蛍光ランプ１００のランプピン１０６の近傍に出力端子１２を実装しているので、ランプソケットまでの配線２１を短くすることができる。これにより、配線２１が長くなるに伴って生じる雑音や、漏洩電流の増加を防止することができるとともに、組立を容易化することができる。
【００４１】
なお、ここでは、円形状の器具本体３１Ｂについて説明したが、第１実施形態と同様に、矩形状の器具本体３１を用いることもできる。この場合には、円形のプリント基板１０Ｂの外側に、矩形の器具本体３１の隅部が設けられることになる。
【００４２】
次に、本発明の第３実施形態について説明する。
図３（Ａ）は本発明の第２実施形態にかかるプリント基板、このプリント基板を用いた蛍光ランプ点灯装置および照明器具を示す平面図、図３（Ｂ）は同じく側面図、図４は蛍光ランプ点灯装置の構成を示すブロック図である。なお、図５において前述した平面らせん形蛍光ランプおよび前述した第１、第２実施形態にかかるプリント基板、このプリント基板を用いた蛍光ランプ点灯装置および照明器具と共通する部位には同じ符号を付して、重複する説明を省略することとする。
【００４３】
図３に示すように、プリント基板１０Ｃには、蛍光ランプ１００を点灯させるための電子部品１１が実装されて蛍光ランプ点灯装置２０Ｃが形成されており、矩形箱状の器具本体３１の内部に収納されて照明器具３０Ｃが構成されている。
【００４４】
図３（Ａ）に示すように、プリント基板１０Ｃの外径は円形をしており、円形の蛍光ランプ１００の外形よりも大きな外形を有している。また、蛍光ランプ１００はプリント基板１０Ｃの中央部１０ａに配設されており、外形が円形のプリント基板１０Ｃの中央部１０ａに、全体円形状の蛍光ランプ１００が配置されることになる。このため、プリント基板１０Ｃの外形は、蛍光ランプ１００の外形と略相似形となっている。これにより、照明器具３０Ｃの全体の意匠性を向上させることができる。
【００４５】
また、プリント基板１０Ｃは、少なくとも２以上（ここでは、２個）の分割基板１０Ｃａ、１０Ｃｂに分割されており、分割基板１０Ｃａ、１０Ｃｂの間には隙間１３が設けられている。このため、蛍光ランプ１００の着脱が容易になるとともに、着脱の際に蛍光ランプ１００がプリント基板１０Ｃに当たるのを防止することができる。また、照明器具３０Ｃに蛍光ランプ１００を取り付けた状態で、プリント基板１０Ｃの分割基板１０Ｃａ，１０Ｃｂを取り外すことができ、作業性が向上する。
【００４６】
プリント基板１０Ｃの外形は、蛍光ランプ１００の外形よりも大きいので、蛍光ランプ１００の外側にはプリント基板１０Ｃが露出する部分１０ｂが設けられる。なお、ここでは、プリント基板１０Ｃの中央部１０ａを切り抜いており、プリント基板１０Ｃは全体として一定幅を有する円環状となっている。
【００４７】
従って、図３（Ｂ）に示すように、プリント基板１０Ｃにおける蛍光ランプ１００の外側に露出している部分１０ｂにインバータ回路１１ｅ等の大型部品を実装し、プリント基板１０Ｂの裏面に小型・薄型のチップ部品１１ｇを実装することにより、従来のような蛍光ランプの下側に大きな電子部品を実装して蛍光ランプ１００と重なるのを防止することができる。これにより、蛍光ランプ点灯装置２０Ｃおよび照明器具３０Ｃの薄型化を図ることができる。
【００４８】
また、プリント基板１０Ｃ上の、蛍光ランプ１００のランプピン１０６の近傍に出力端子１２を実装しているので、ランプソケットまでの配線２１を短くすることができる。これにより、配線２１が長くなるに伴って生じる雑音や、漏洩電流の増加を防止することができるとともに、組立を容易化することができる。
【００４９】
図４に示すように、プリント基板１０Ｃでは、制御回路部１１ｆを一の分割基板１０Ｃａに設け、インバータ回路部１１ｅおよび電源回路部１１ｄを他の分割基板１０Ｃｂに設けている。これにより、高周波で動作するスイッチング素子を有するインバータ回路部１１ｅおよび電源回路部１１ｄを、制御回路部１１ｆとは異なる分割基板１０Ｃａ，１０Ｃｂに設けたので、制御回路１１ｆが誤作動して、蛍光ランプ１００がちらついたり消えたりする等の影響を低減することができる。
【００５０】
なお、ここでは、矩形状の器具本体３１を用いた照明器具３０Ｃについて説明したが、第２実施形態と同様に、円形状の器具本体３１Ｂを用いることもできる。この場合には、円形のプリント基板１０Ｃの外側に生じる無駄な空間を低減することができる。
【００５１】
なお、本発明のプリント基板、このプリント基板を用いた蛍光ランプ点灯装置および照明器具は、前述した各実施形態に限定されるものでなく、適宜な変形，改良等が可能である。
【図面の簡単な説明】
【００５２】
【図１】（Ａ）は本発明の第１実施形態にかかるプリント基板、このプリント基板を用いた蛍光ランプ点灯装置および照明器具を示す平面図、（Ｂ）は同じく側面図
【図２】（Ａ）は本発明の第２実施形態にかかるプリント基板、このプリント基板を用いた蛍光ランプ点灯装置および照明器具を示す平面図、（Ｂ）は同じく側面図
【図３】（Ａ）は本発明の第３実施形態にかかるプリント基板、このプリント基板を用いた蛍光ランプ点灯装置および照明器具を示す平面図、（Ｂ）は同じく側面図
【図４】蛍光ランプ点灯装置の構成を示すブロック図
【図５】（Ａ）および（Ｂ）は、従来より知られている平面らせん形の蛍光ランプの斜視図
【図６】平面らせん形の蛍光ランプを用いた照明器具の斜視図
【符号の説明】
【００５３】
１０Ａ，１０Ｂ，１０Ｃ  プリント基板
１０Ｃａ  一の分割基板（分割基板）
１０Ｃｂ  他の分割基板（分割基板）
１０ａ  中央部
１１ｅ  インバータ回路部
１１ｄ  電源回路部
１１ｆ  制御回路部
１２  出力端子
２０Ａ，２０Ｂ，２０Ｃ  蛍光ランプ点灯装置
３０Ａ，３０Ｂ，３０Ｃ  照明器具
１００  蛍光ランプ
１０１  発光管
１０６  ランプピン
【図１】
2010050053.tif 000003
【図２】
2010050053.tif 000004
【図３】
2010050053.tif 000005
【図４】
2010050053.tif 000006
【図５】
2010050053.tif 000007
【図６】
2010050053.tif 000008